(57)【要約】      （修正有）【課題】剥離式の粘着ローラクリーナにおいて最外周部分を剥離する時機を使用者に通知し、粘着性の劣化によって異物除去効果が低下することを防止する粘着ローラクリーナ保持具を提供する。【解決手段】一方の面が粘着面である粘着シートが、上記粘着面が外面になるようにロール状に巻き取られ、このロール状粘着シートの最外周部分が剥離可能である粘着ローラ１１と、この粘着ローラを周方向に回動自在に支持するローラ支持体１２とを有する粘着ローラクリーナ１０の保持具であって、上記粘着ローラクリーナを懸下するフックと、上記粘着ローラクリーナを上記フックに懸下した回数又は上記粘着ローラクリーナを上記フックから取り外した回数を通知するカウンタ通知手段と、上記粘着ローラクリーナが上記フックから取り外されている時間を通知するタイマ通知手段とを備える。【選択図】図３
0003225125.tif 000002
【実用新案登録請求の範囲】
【請求項１】
一方の面が粘着面である粘着シートが、上記粘着面が外面になるようにロール状に巻き取られ、このロール状粘着シートの最外周部分が剥離可能である粘着ローラと、この粘着ローラを周方向に回動自在に支持するローラ支持体とを有する粘着ローラクリーナの保持具であって、
上記粘着ローラクリーナを懸下するフックと、
上記粘着ローラクリーナを上記フックに懸下した回数又は上記粘着ローラクリーナを上記フックから取り外した回数を通知するカウンタ通知手段と、
上記粘着ローラクリーナが上記フックから取り外されている時間を通知するタイマ通知手段と
を備える粘着ローラクリーナ保持具。
【請求項２】
上記カウンタ通知手段が、上記回数を表示するカウンタ表示部、又は点灯状態若しくは点滅状態によって上記回数を知らせる照明部である請求項１に記載の粘着ローラクリーナ保持具。
【請求項３】
上記タイマ通知手段が、上記時間を表示するタイマ表示部、又は設定時間経過後に警告音を発するブザーである請求項１又は請求項２に記載の粘着ローラクリーナ保持具。
【請求項４】
上記ブザーが、上記設定時間経過後の警告音とは異なる警告音を上記計測中に発する請求項３に記載の粘着ローラクリーナ保持具。
【請求項５】
上記カウンタ通知手段を設定するカウンタ設定ダイヤルと、上記タイマ通知手段を設定するタイマ設定ダイヤルと、上記カウンタ通知手段及びタイマ通知手段を初期状態にするリセットボタンとをさらに備える請求項１から請求項４のいずれか１項に記載の粘着ローラクリーナ保持具。
【考案の詳細な説明】
【技術分野】
【０００１】
本考案は、粘着ローラクリーナ保持具に関する。
【背景技術】
【０００２】
床や被服等の埃等の異物を除去する清掃用具として、表面が粘着性を有するローラを上記床面等で転がし、上記異物を上記ローラ表面に付着させて除去する粘着ローラクリーナが広く知られている。この粘着ローラクリーナでは、ローラ表面の粘着性が低下すると、上記ローラを洗浄等して粘着性を回復するものと、上記ローラが長尺シートをロール状に形成したものであって、このロール状シートの最外周の粘着面を剥離して新しい粘着面を表出させるものとがある（特許第６３９５９６４号公報）。上記剥離式のものでは、上記ローラ表面の粘着性の低下、又は目視で上記ローラ表面の汚染の程度を確認して上記剥離を行うことが一般的である。
【０００３】
剥離式の粘着ローラクリーナは、家庭で使用される他、生産工場等でも使用されている。特に、クリーニングルームや食品工場等、衛生管理の基準が厳格に定められている施設等においては、ローラの粘着性低下や表面の汚染度等といった人の感覚に頼って上記剥離を行うのではなく、粘着ローラクリーナの使用時間及び使用回数を管理して上記剥離を行うのが好ましいとされ、このような管理を容易に行える器具が望まれている。
【先行技術文献】
【特許文献】
【０００４】
【特許文献１】特許第６３９５９６４号公報
【考案の概要】
【考案が解決しようとする課題】
【０００５】
上述のような事情に鑑みて、本考案は、剥離式の粘着ローラクリーナにおいて最外周部分を剥離する時機を使用者に通知し、粘着性の劣化によって異物除去効果が低下することを防止する粘着ローラクリーナ保持具を提供することを目的とする。
【課題を解決するための手段】
【０００６】
上記課題を解決するためになされた本考案の一態様は、一方の面が粘着面である粘着シートが、上記粘着面が外面になるようにロール状に巻き取られ、このロール状粘着シートの最外周部分が剥離可能である粘着ローラと、この粘着ローラを周方向に回動自在に支持するローラ支持体とを有する粘着ローラクリーナの保持具であって、上記粘着ローラクリーナを懸下するフックと、上記粘着ローラクリーナを上記フックに懸下した回数又は上記粘着ローラクリーナを上記フックから取り外した回数を通知するカウンタ通知手段と、上記粘着ローラクリーナが上記フックから取り外されている時間を通知するタイマ通知手段とを備える粘着ローラクリーナ保持具である。
【０００７】
当該粘着ローラクリーナ保持具は、粘着ローラクリーナを使用する時間が使用者に通知されるため、上記使用者は所定の時間以上の上記使用が制限されると共に、上記粘着ローラクリーナを使用した回数が使用者に通知されるため、使用者は粘着ローラの最外周に位置する粘着シートを剥離する時機を知り得ることができる。よって、粘着ローラクリーナの過剰な使用によって上記粘着ローラクリーナの粘着性が劣化し、異物を除去する効果が低下することを防止できる。
【考案の効果】
【０００８】
当該粘着ローラクリーナの保持具は、粘着ローラクリーナの粘着性の劣化によって異物除去効果が低下することを防止することができる。
【図面の簡単な説明】
【０００９】
【図１】図１は、本考案の一実施形態である粘着ローラクリーナ保持具を示す模式的正面図である。
【図２】図２は、図１の粘着ローラクリーナ保持具の模式的側面図である。
【図３】図３は、図１の粘着ローラクリーナ保持具の使用状態を示す模式的斜視図である。
【図４】図４は、図１の粘着ローラクリーナ保持具の使用方法の一例を示すフローチャートである。
【考案を実施するための形態】
【００１０】
以下、本考案の一実施形態である粘着ローラクリーナ保持具を適宜図面を用いて詳説する。
【００１１】
［粘着ローラクリーナ保持具］
本考案の一態様である粘着ローラクリーナ保持具１は、図１に示すように、粘着ローラクリーナ１０を懸下するフック２と、上記粘着ローラクリーナ１０を上記フック２に懸下した回数又は上記粘着ローラクリーナ１０を上記フック２から取り外した回数を通知するカウンタ通知手段３と、上記粘着ローラクリーナ１０を上記フック２から取り外している時間を通知するタイマ通知手段４と、上記フック２、カウンタ通知手段３及びタイマ通知手段４を有する筐体５とを主に備える。
【００１２】
＜粘着ローラクリーナ＞
図３に示す粘着ローラクリーナ１０は、その表面に清掃対象の表面上における埃等の異物を付着させて除去する清掃用具である。具体的には、粘着ローラクリーナ１０は、一方の面が粘着面である粘着シートが、上記粘着面が外面になるようにロール状に巻き取られ、このロール状粘着シートの最外周部分が剥離可能である粘着ローラ１１と、この粘着ローラ１１を周方向に回動自在に支持するローラ支持体１２とを有する。粘着ローラクリーナ１０としては、特に限定されないが、クリーニングルーム等への入室時において被服に付着する異物を除去するものである場合、静電気を防止できるものであることが好ましい。
【００１３】
粘着ローラ１１は、より具体的には、芯材に一方の面が粘着面である長尺の粘着シートを上記粘着面が外面になるようにロール状に巻き取り、このロール状粘着シートの最外周に位置する粘着シートが剥離可能に構成されている。使用者は上記粘着面に床、被服等の非清掃体の表面上における埃等の異物を付着させることで、上記異物の除去を行う。
【００１４】
ローラ支持体１２は、より具体的には、上記芯材の中を中心軸方向に貫通して粘着ローラ１１を回動自在に支持する支持アーム部分１３と、この支持アーム部分１３に接続され、使用者が把持する柄部分１４とを有する。上記柄部分１４には、上記支持アーム部分１３と接続される側と反対側の端部近傍に貫通孔１５が形成され、又は上記端部に鍵状部分を有することが好ましい。上記貫通孔１５が形成され又は鍵状部分を有することにより、後述するフック２に粘着ローラクリーナ１０を容易に吊り下げることができる。使用者は、上記柄部分１４を把持し、被清掃体の表面で粘着ローラ１１を転動させることで上記粘着面に異物を付着させる。
【００１５】
＜筐体＞
図１，２に示す筐体５は、粘着ローラクリーナ１０を懸下するフック２と、上記粘着ローラクリーナ１０の使用回数を通知するカウンタ通知手段３と、上記粘着ローラクリーナ１０の使用時間を通知するタイマ通知手段４とを有する。また、筐体５は、上記粘着ローラクリーナ１０の使用回数を検出するカウンタと、上記粘着ローラクリーナ１０の使用時間を計測するタイマとを内蔵する。筐体５は、図２に示すように、上記カウンタ通知手段３の設定回数を設定するカウンタ設定ダイヤル６、タイマ通知手段４の設定時間を設定するタイマ設定ダイヤル７、及び上記カウンタ通知手段３とタイマ通知手段４とを初期状態にするリセットボタン８をさらに有することが好ましい。
【００１６】
上記カウンタ及びタイマは、筐体５に内蔵される電源又は外部から供給される電源で作動する。上記電源が筐体５に内蔵される電池等である場合、筐体５には、交換可能な電池を格納する箇所が設けられ、当該箇所に着脱可能な蓋部を筐体５は有する。上記カウンタ及びタイマとしては、特に限定されるものではないが、例えば、小型ロータリＤＩＰ（Ｄｕａｌ  Ｉｎ−ｌｉｎｅ  Ｐａｃｋａｇｅ）スイッチ等を採用したものが挙げられる。
【００１７】
筐体５は、図１に示すように、壁などに掛けられるための穴部９を有することが好ましい。穴部９は、筐体５の背面から延出するリブ等に設けられてもよいし、筐体５の背面に凹状に形成されてもよい。なお、筐体５の「背面」とは、カウンタ通知手段３及びタイマ通知手段４が配置される側の面と反対側の面である。
【００１８】
（フック）
フック２は、筐体５の下面側に配置され、一端が粘着ローラクリーナ１０を懸下できるように鍵状に形成されると共に、他端が上記カウンタ及びタイマに接続されている。上記カウンタは、粘着ローラクリーナ１０がフック２に吊り下げられたこと、又は粘着ローラクリーナ１０がフック２から取り外されたことを検出し、その回数をカウンタ通知手段３に送信する。上記タイマは、粘着ローラクリーナ１０がフック２から取り外されると同時に時間の計測を開始し、その計測時間をタイマ通知手段４に送信する。
【００１９】
（カウンタ通知手段）
カウンタ通知手段３は、上記カウンタが検出した回数を粘着ローラクリーナ１０が使用された回数として使用者に通知する。カウンタ通知手段３は、上記使用回数を表示するカウンタ表示部３ａ、又は点灯状態若しくは点滅状態によって上記使用回数を知らせる照明部３ｂであることが好ましい。
【００２０】
上記使用回数を表示するカウンタ表示部３ａとしては、特に限定されるものではないが、例えば、数字を表示する液晶表示器を採用することができる。上記使用回数を数字で表示する方法としては、特に限定されるものではないが、例えば５回の使用で粘着ローラクリーナ１０の最外周部分の粘着シートを剥離する場合（以下、単に「剥離」ということがある）、表示を「１」で開始して「５」までを加算して表示してもよいし、表示を「５」で開始して「１」までを減算して表示してもよい。或いは、文字や図形を表示するカウンタ表示部３ａを用いて剥離の時機を通知してもよい。
【００２１】
上記点灯状態若しくは点滅状態によって使用回数を知らせる照明部３ｂとしては、特に限定されるものではないが、例えば、ＬＥＤ（Ｌｉｇｈｔ  Ｅｍｉｔｔｉｎｇ  Ｄｉｏｄｅ）を採用することができる。上記使用回数を点灯状態若しくは点滅状態によって知らせる方法としては、特に限定されるものではないが、例えば５回の使用で剥離する場合、使用回数が１回では比較的長い間隔で点滅をさせ、使用回数が増加するにつれて上記点滅間隔を短くし、使用回数が５回で点灯させることができる。或いは、照明部３ｂの照明の色を変化させることで使用回数を知らせてもよいし、照明部３ｂを複数設けて、点灯又は消灯している照明部３ｂの数で使用回数を知らせてもよい。
【００２２】
カウンタ表示部３ａ及び照明部３ｂは、その両方を筐体５に配置することが好ましい。
【００２３】
（タイマ通知手段）
タイマ通知手段４は、上記タイマが計測した時間を使用者に通知する。タイマ通知手段４は、上記計測時間を表示するタイマ表示部４ａ、又は設定時間経過後に警告音を発するブザー４ｂであることが好ましい。
【００２４】
上記計測時間を表示するタイマ表示部４ａとしては、特に限定されるものではないが、例えば、数字で表示する液晶表示器を採用することができる。上記計測時間を表示する方法としては、特に限定されるものではないが、例えば使用時間を３０秒以内と設定した場合、表示を「１」秒で開始して「３０」秒までを加算して表示してもよいし、表示を「３０」秒で開始して「１」までを減算して表示してもよい。或いは、文字や図形を表示するタイマ表示部４ａ用いて使用停止の時機を通知してもよい。
【００２５】
上記設定時間経過後に警告音を発するブザー４ｂとしては、特に限定されるものではないが、ブザー音、アラーム音、チャイム、何らかのメロディを奏でるもの等を採用することができる。ブザー４ｂは、上記設定時間経過後に発する警告音とは異なる警告音を、設定時間が経過する前に発してもよい。具体的には、上記タイマが、設定時間が経過する前であって、時間を計測している間に警告音を発してもよい。より具体的には、例えば使用時間を３０秒以内と設定した場合、使用開始時点からは比較的長い間隔で断続的に警告音を発し、使用時間が経過するにつれて上記間隔を短くし、使用時間が設定時間になると連続して警告音を発するとすることができる。或いは、設定時間が経過する前と設定時間経過後で異なる周波数の音を発するとしてもよい。
【００２６】
タイマ表示部４ａ及びブザー４ｂは、その両方を筐体５に配置することが好ましい。
【００２７】
［剥離管理方法］
次に、上述の粘着ローラクリーナ保持具１を用いた剥離管理方法について説明する。当該剥離管理方法は、粘着ローラクリーナ１０をフック２から取り外して使用する工程と、粘着ローラクリーナ１０をフック２に懸下した回数又は粘着ローラクリーナ１０をフック２から取り外した回数をカウンタ通知手段３によって通知すると共に、粘着ローラクリーナ１０をフック２から取り外している時間をタイマ通知手段４によって通知する工程と、上記使用時間の通知で上記使用を停止する工程とを有し、上記回数の通知で、設定された回数の値が通知されて上記ロール状粘着シートの最外周部分を剥離する工程をさらに有する。また、当該剥離管理方法は、上記カウンタ及びタイマの設定値を設定する準備工程を有する。本実施形態では、例として、カウンタ通知手段３としてカウンタ表示部３ａ及び照明部３ｂを備え、タイマ通知手段４として、タイマ表示部４ａ及びブザー４ｂを備える粘着ローラクリーナ保持具１を用いる。
【００２８】
＜準備工程＞
準備工程では、カウンタ及びタイマの設定値を設定して、ロール状粘着シートの粘着面（表面）が未使用の粘着ローラクリーナ１０をフック２に吊り下げる。カウンタの設定値としては、特に限定されるものではないが、例えば、５回とすることができる。タイマの設定値としては、特に限定されるものではないが、例えば、３０秒とすることができる。カウンタ及びタイマの設定値は、カウンタ設定ダイヤル６及びタイマ設定ダイヤル７で設定できることが好ましい。また、リセットボタン８を押すことで設定された状態を初期状態として記憶可能であることが好ましい。本実施形態では、例として、上記初期状態としてカウンタの設定値が「５」でカウンタ表示部３ａが「０」を表示し、タイマの設定値が「３０」でタイマ表示部４ａが「３０」を表示するものとする。
【００２９】
＜使用工程＞
使用工程では、粘着ローラクリーナ１０をフック２から取り外して使用する。粘着ローラクリーナ１０をフック２から取り外すと、フック２に接続されているカウンタ及びタイマが取り外されたことを検出する。
【００３０】
＜回数及び時間通知工程＞
回数通知では、上記カウンタが粘着ローラクリーナ１０をフック２に懸下した回数又は取り外した回数を検出して、この検出をカウンタ通知手段に送信する。本実施形態では、上記カウンタが取り外したことを検出し、この検出がカウンタ表示部３ａ及び照明部３ｂに送信され、カウンタ表示部３ａは表示していた数字に１を加算した数字を表示し、照明部３ｂは点滅する。
【００３１】
時間通知では、粘着ローラクリーナを上記フックから取り外している時間を計測し、この計測時間をタイマ通知手段４に送信する。本実施形態では、上記タイマの検出がタイマ表示部４ａ及びブザー４ｂに送信され、タイマ表示部４ａは表示されている数字から１秒毎に１ずつ減算した数字を表示し、ブザー４ｂは断続的に警告音を発する。
【００３２】
＜使用停止工程＞
使用停止工程では、使用時間の通知で粘着ローラクリーナ１０の使用を停止する。本実施形態では、タイマ表示部４ａの表示が「０」になると共に、ブザー４ｂは連続した警告音を発する。これらの通知によって使用者は粘着ローラクリーナ１０の使用を停止する。又は、タイマ表示部４ａの表示が「０」になる前で、ブザー４ｂは連続した警告音を発する前に上記使用を停止する。剥離工程に移行しない場合、すなわち上記回数の通知で、設定された回数の値が通知されていない場合、使用者は粘着ローラクリーナをフック２に吊り下げる。この吊り下げられたことが検出されると、タイマ表示部４ａは「３０」を表示し、ブザー４ｂは警告音を停止する。
【００３３】
＜剥離工程＞
剥離工程では、上記回数の通知で、設定された回数の値が通知されて上記ロール状粘着シートの最外周部分を剥離する。本実施形態では、上記カウンタの検出回数が５回になると、カウンタ表示部３ａが「５」を表示すると共に、照明部３ｂが点灯する。或いは、この時にブザー４ｂが、回数及び時間通知工程と使用停止工程とで発する警告音と異なる警告音を発するようにしてもよい。これらの通知を確認した使用者は、粘着ローラクリーナ１０のロール状粘着シートの最外周部分を剥離してフック２に吊り下げると共に、リセットボタン８を押して粘着ローラクリーナ保持具１を初期状態に戻す。粘着ローラクリーナ保持具１を初期状態に戻すことでカウンタ表示部３ａが「０」を表示すると共に、照明部３ｂが消灯し、警告音が停止する。
【００３４】
［利点］
当該粘着ローラクリーナの保持具及びこの粘着ローラクリーナの保持具を用いた剥離管理方法は、粘着ローラクリーナを使用する時間を計測して使用者に通知するため、上記使用者は所定の時間以上の上記使用が制限されると共に、上記粘着ローラクリーナを使用した回数を検出して使用者に通知するため、使用者は粘着ローラの最外周に位置する粘着シートを剥離する時機を知り得ることができる。よって、粘着ローラクリーナの過剰な使用によって上記粘着ローラクリーナの異物を除去する効果が低下することを防止できる。
【００３５】
［その他の実施形態］
上記開示された実施の形態は全ての点で例示であって制限的なものではないと考えられるべきである。本考案の範囲は、上記実施形態の構成に限定されるものではなく、実用新案登録請求の範囲によって示され、実用新案登録請求の範囲と均等の意味及び範囲内での全ての変更が含まれることが意図される。
【００３６】
本実施形態では、剥離する粘着ローラクリーナを用いた場合について説明したが、ローラ表面を洗浄して粘着性を回復できる粘着ローラクリーナにおいて、上記洗浄する時機を管理するためとして本考案の粘着ローラクリーナ保持具を用いることもできる。
【００３７】
また、長尺の粘着シートをロール状にした粘着ローラクリーナに限られず、例えば、略矩形状に形成された粘着シートを剥離可能に積層した清掃用具等に本考案の粘着ローラクリーナ保持具が用いられることも本考案の範疇である。
【産業上の利用可能性】
【００３８】
本考案の粘着ローラクリーナ保持具は、上述のように、粘着ローラクリーナの異物を除去する効果が低下することを防止できるので、クリーニングルーム、食品工場等の衛生管理が厳格な施設等において好適に用いることができる。
【符号の説明】
【００３９】
１  粘着ローラクリーナ保持具
２  フック
３  カウンタ通知手段
３ａ  カウンタ表示部
３ｂ  照明部
４  タイマ通知手段
４ａ  タイマ表示部
４ｂ  ブザー
５  筐体
６  カウンタ設定ダイヤル
７  タイマ設定ダイヤル
８  リセットボタン
９  穴部
１０  粘着ローラクリーナ
１１  粘着ローラ
１２  ローラ支持体
１３  支持アーム部分
１４  柄部分
１５  貫通穴
【図１】
0003225125.tif 000003
【図２】
0003225125.tif 000004
【図３】
0003225125.tif 000005
【図４】
0003225125.tif 000006